(57)【要約】【課題】  想定していない記録媒体への出力時や、出力装置の状態の変動があった時に、簡易な方法で粒状性を評価することによって、適切な色調整を行うことのできる画像処理装置および画像処理装置における色変換調整方法を提供する。【解決手段】  通常の画像データの出力処理は、フロー（ａ）で示される。これに加えて、評価画像出力フローが（ｂ）で行われる。ユーザの指定または自動的にパラメータ調整が指示される。パラメータ調整が指示されると、評価画像記憶手段６によって記憶されている評価画像がフロー（ｂ）で読み出される。複数のＵＣＲ／ＵＣＡパラメータで評価画像を出力する必要があるため、パラメータ調整手段７によってＵＣＲ／ＵＣＡパラメータを振りながら、読み出し→処理→出力のフローが複数回繰り返される。ユーザは最も粒状性の良い画像を選択し、ユーザ評価入力手段８により入力する。パラメータ調整のフローは、（ｃ）で示される。【選択図】  図１
2005094085.tif 000002
【特許請求の範囲】
【請求項１】
入力されたカラー画像に対して色変換を行い、画像を出力する画像処理装置であって、
記録媒体に対する粒状性を評価するための評価画像を出力する出力手段と、
前記評価画像に対するユーザによる評価を入力する入力手段と、
前記入力された評価に応じて、色変換の調整を行う調整手段と、を有することを特徴とする画像処理装置。
【請求項２】
入力されたカラー画像に対して色変換を行い、画像を出力する画像処理装置であって、
記録媒体に対する粒状性を評価するための評価画像を出力する出力手段と、
前記出力手段によって出力された評価画像を読み取る画像読み取り手段と、
前記読み取った評価画像から、粒状性を評価することの可能な評価値を算出する算出手段と、
前記算出された評価値に応じて、色変換の調整を行う調整手段と、を有することを特徴とする画像処理装置。
【請求項３】
前記画像処理装置が対応していない記録媒体への画像出力が指示された場合にのみ、前記出力手段によって、画像評価用の画像を前記記録媒体に出力することを特徴とする請求項１または２に記載の画像処理装置。
【請求項４】
前記評価値は、粒状度もしくはテクスチャであることを特徴とする請求項２に記載の画像処理装置。
【請求項５】
前記色変換は、黒色を含む複数色の信号への変換を行い、前記調整手段は、色変換におけるＵＣＲ／ＵＣＡ処理のパラメータを変更することを特徴とする請求項１から４のいずれか１項に記載の画像処理装置。
【請求項６】
前記色変換は、黒色を含む複数色の信号への変換を行い、前記調整手段は、色変換に用いる色変換テーブルを変更することを特徴とする請求項１から４のいずれか１項に記載の画像処理装置。
【請求項７】
前記画像処理装置は、同一色相の濃度の異なる色材により画像形成して出力することが可能であり、前記調整手段は、同一色相の濃度の異なる色材の混合割合を変更することを特徴とする請求項１から４のいずれか１項に記載の画像処理装置。
【請求項８】
前記画像処理装置は、色材として液体インクを使用し、インクの重量を変えて２種類以上の大きさの異なるインクドット用いて画像形成することが可能であり、前記調整手段は、用いるインクドットの大きさの混合割合を変更することを特徴とする請求項１から４のいずれか１項に記載の画像処理装置。
【請求項９】
入力されたカラー画像に対して色変換を行い、画像を出力する画像処理装置であって、
記録媒体に対する評価画像を出力する出力手段と、
前記評価画像に対するユーザによる評価を入力する入力手段と、
前記入力された評価に応じて、色変換の調整を行う調整手段と、を有し
前記画像処理装置が対応していない記録媒体への画像出力が指示された場合にのみ、前記出力手段によって、画像評価用の画像を前記記録媒体に出力することを特徴とする画像処理装置。
【請求項１０】
入力されたカラー画像に対して色変換を行い、画像を出力する画像処理装置における色変換の調整を行う方法であって、
記録媒体に対する粒状性を評価するための評価画像を出力する出力ステップと、
前記評価画像に対するユーザによる評価を入力する入力ステップと、
前記入力された評価に応じて、色変換の調整を行う調整ステップと、を有することを特徴とする色変換調整方法。
【請求項１１】
入力されたカラー画像に対して色変換を行い、画像を出力する画像処理装置における色変換の調整を行う方法であって、
記録媒体に対する粒状性を評価するための評価画像を出力する出力ステップと、
前記出力ステップによって出力された評価画像を読み取る読み取りステップと、
前記読み取った評価画像から、粒状性を評価することの可能な評価値を算出する算出ステップと、
前記算出された評価値に応じて、色変換の調整を行う調整ステップと、を有することを特徴とする色変換調整方法。
【発明の詳細な説明】
【技術分野】
【０００１】
カラープリンタや複写機等の画像処理装置および画像処理装置における色変換調整方法に関する。
【背景技術】
【０００２】
電子写真方式、インクジェット方式等のプリンタや複写機でカラー画像を印刷する際には、シアン（Ｃ）、マゼンタ（Ｍ）、イエロー（Ｙ）、ブラック（Ｋ）の４色の色材が用いられることが多い。その際、入力画像としては、レッド（Ｒ）、グリーン（Ｇ）、ブルー（Ｂ）の３色で表現されたカラー画像が用いられるため、ＲＧＢ画像からＣＭＹＫ画像への色変換処理が必要となる。
【０００３】
色変換において、Ｋの量は画像の品質に大きな影響を及ぼす。特にハイライト部にＫを入れると粒状性が悪くなり、画質が悪化する。そのため、Ｋの量を適切に調整することは画質に大きな影響がある。Ｋの調整方法としては、ＵＣＲ／ＵＣＡ方式があり、これは、入力のＲＧＢ信号をまずＣＭＹ信号に変換し、ＣＭＹのうちの最小値に基づいてＫを生成する方法である。
【０００４】
最終的な出力信号をＣ’Ｍ’Ｙ’Ｋ’とすると、例えば、下に示す式（１）でＫ’を生成し、それに応じてＣＭＹも調整する。ただし、各信号を０〜２５５の値をとる８ｂｉｔ信号とし、Ｋ’は式（１）で０以下の値となる場合は０とする。
Ｋ’＝α×（ｍｉｎ（Ｃ，Ｍ，Ｙ）−γ）／（２５５−γ）
Ｃ’＝  Ｃ−β×Ｋ’
Ｍ’＝  Ｍ−β×Ｋ’
Ｙ’＝  Ｙ−β×Ｋ’        ．．．．．．      （１）
【０００５】
この式（１）におけるパラメータα、β、γを調整することにより、墨量を調整できる。図７は、式（１）におけるＫ’とｍｉｎ（Ｃ，Ｍ，Ｙ）との関係を示すグラフである。図７からわかるように、パラメータγは墨開始点を表しており、ハイライト部の粒状性に対しては、特にこのパラメータが影響する。すなわち、この値を大きくすれば、ハイライトをＣＭＹのみで再現することができる。ただし、シャドー部はＫ量を多くして再現する必要があるため、適切な位置に設定する必要がある。
【０００６】
また、インクジェット記録装置においては、ＣＭＹＫに加えてライトシアン（Ｌｃ）、ライトマゼンタ（Ｌｍ）といった、Ｃ、Ｍと同色相であり、かつ濃度の薄いインクが用いられることもある。主な目的は、ハイライトでのＣ、Ｍの再現においてＬｃ、Ｌｍを用いることにより粒状性を良くすることである。ただし、シャドー部の再現は濃いＣＭで行う必要があるため、濃インクを入れ始める位置を適切に調整してやることが、粒状性を良くするために必要である。
【０００７】
カラープリンタや複写機等の画像処理装置において、これらの色変換パラメータの調整は、出荷前に実施されている。また、特にインクジェット記録装置においては、記録媒体として普通紙だけではなく、むしろ数種類の専用紙が使われることが多く、用紙の種類に対応して複数の色変換パラメータを用意している。それは、用紙により色材の発色具合、粒状性等が異なるためである。
【０００８】
しかし、色変換パラメータは、想定している数種類の記録媒体のものしか用意されておらず、それ以外の記録媒体に対しては、最適な調整がなされた色変換パラメータを用いることができず、粒状性が悪い画像が出力されることがある。
【０００９】
また、特に電子写真方式においては、使用している間に機械の状態が少しずつ変化することがあるため、粒状性の傾向も変わってしまう場合がある。よって、初期状態で色変換パラメータが調整されていたとしても、ある時点では粒状性が悪い画像が出力されることがある。本発明に関連する従来技術としては、下記に示す特許文献がある。
【特許文献１】特開２００１−４７６６５号公報
【特許文献２】特許第２７５６０４０号公報
【特許文献３】特開２０００−７８４１８号公報
【００１０】
従来技術では、例えば、特許文献１に記載のように、初期状態とは色味が異なる場合に、ユーザによる簡便な濃度調整等により色調整を行う方法があるが、これでは、粒状性を改善するような調整はできない。
【００１１】
また、特許文献２においては、ユーザによるＵＣＲ／ＵＣＡパラメータ決定方法が記載されているが、グレーバランスに基づいた設定方法であり、粒状性を考慮していない。また、特許文献３においては、ＵＣＲ／ＵＣＡ方式とは異なった方法において、粒状性を考慮してＫを生成する方法が記載されているが、この生成方法は非常に複雑なため、ユーザのもとで簡易に色調整を行う方法としては適さない。
【発明の開示】
【発明が解決しようとする課題】
【００１２】
本発明は、上記問題点に鑑みてなされたものであり、想定していない記録媒体への出力時や、出力装置の状態の変動があった時に、簡易な方法で粒状性を評価することによって、適切な色調整を行うことのできる画像処理装置および画像処理装置における色変換調整方法を提供することを目的とする。
【課題を解決するための手段】
【００１３】
上記目的を達成するために、請求項１記載の発明は、入力されたカラー画像に対して色変換を行い、画像を出力する画像処理装置であって、記録媒体に対する粒状性を評価するための評価画像を出力する出力手段と、評価画像に対するユーザによる評価を入力する入力手段と、入力された評価に応じて、色変換の調整を行う調整手段と、を有することを特徴とする。
【００１４】
請求項２記載の発明は、入力されたカラー画像に対して色変換を行い、画像を出力する画像処理装置であって、記録媒体に対する粒状性を評価するための評価画像を出力する出力手段と、出力手段によって出力された評価画像を読み取る画像読み取り手段と、読み取った評価画像から、粒状性を評価することの可能な評価値を算出する算出手段と、算出された評価値に応じて、色変換の調整を行う調整手段と、を有することを特徴とする。
【００１５】
請求項３記載の発明は、請求項１または２に記載の発明において、画像処理装置が対応していない記録媒体への画像出力が指示された場合にのみ、出力手段によって、画像評価用の画像を記録媒体に出力することを特徴とする。
【００１６】
請求項４記載の発明は、請求項２に記載の発明において、評価値は、粒状度もしくはテクスチャであることを特徴とする。
【００１７】
請求項５記載の発明は、請求項１から４のいずれか１項に記載の発明において、色変換は、黒色を含む複数色の信号への変換を行い、調整手段は、色変換におけるＵＣＲ／ＵＣＡ処理のパラメータを変更することを特徴とする。
【００１８】
請求項６記載の発明は、請求項１から４のいずれか１項に記載の発明において、色変換は、黒色を含む複数色の信号への変換を行い、調整手段は、色変換に用いる色変換テーブルを変更することを特徴とする。
【００１９】
請求項７記載の発明は、請求項１から４のいずれか１項に記載の発明において、画像処理装置は、同一色相の濃度の異なる色材により画像形成して出力することが可能であり、調整手段は、同一色相の濃度の異なる色材の混合割合を変更することを特徴とする。
【００２０】
請求項８記載の発明は、請求項１から４のいずれか１項に記載の発明において、画像処理装置は、色材として液体インクを使用し、インクの重量を変えて２種類以上の大きさの異なるインクドット用いて画像形成することが可能であり、調整手段は、用いるインクドットの大きさの混合割合を変更することを特徴とする。
【００２１】
請求項９記載の発明は、入力されたカラー画像に対して色変換を行い、画像を出力する画像処理装置であって、記録媒体に対する評価画像を出力する出力手段と、評価画像に対するユーザによる評価を入力する入力手段と、入力された評価に応じて、色変換の調整を行う調整手段と、を有し、画像処理装置が対応していない記録媒体への画像出力が指示された場合にのみ、出力手段によって、画像評価用の画像を記録媒体に出力することを特徴とする。
【００２２】
請求項１０記載の発明は、入力されたカラー画像に対して色変換を行い、画像を出力する画像処理装置における色変換の調整を行う方法であって、記録媒体に対する粒状性を評価するための評価画像を出力する出力ステップと、評価画像に対するユーザによる評価を入力する入力ステップと、入力された評価に応じて、色変換の調整を行う調整ステップと、を有することを特徴とする。
【００２３】
請求項１１記載の発明は、入力されたカラー画像に対して色変換を行い、画像を出力する画像処理装置における色変換の調整を行う方法であって、記録媒体に対する粒状性を評価するための評価画像を出力する出力ステップと、出力ステップによって出力された評価画像を読み取る読み取りステップと、読み取った評価画像から、粒状性を評価することの可能な評価値を算出する算出ステップと、算出された評価値に応じて、色変換の調整を行う調整ステップと、を有することを特徴とする。
【発明の効果】
【００２４】
通常の画像データの出力処理に加え、ユーザの指定または自動的にパラメータ調整が指示される。パラメータ調整が指示されると、評価画像記憶手段によって記憶されている評価画像が読み出される。読み出された評価画像は画像データの出力処理と同様のフローで処理され、画像が出力される。パラメータ調整手段によってＵＣＲ／ＵＣＡパラメータを振りながら、評価画像の読み出し、読み出された画像の処理、画像出力が複数回繰り返される。ユーザは最も粒状性の良い画像を選択し、ユーザ評価入力手段により入力する。これにより、ＵＣＲ／ＵＣＡパラメータ調整が行われ、想定していない記録媒体への出力時や、出力装置の状態の変動があった時に、簡易な方法で粒状性を評価することによって、適切な色調整を行うことができる。
【発明を実施するための最良の形態】
【００２５】
図面を参照し、本発明の実施形態を詳細に説明する。
【００２６】
図１は、本発明の第１実施形態の画像処理装置の色変換調整方法における構成およびデータフローを示すブロック図である。通常、画像を出力する際には、図中の（ａ）で示すフローに従って画像データが出力される。以下具体的に述べる。
【００２７】
画像入力手段１は、スキャナ、もしくはデジタルカメラ等のカラー画像を入力できるものであれば良く、通常各信号が０〜２５５の値をとる８ｂｉｔ信号として規定されるＲＧＢ画像として取り込まれる。
【００２８】
入力されたＲＧＢ画像は、色変換処理手段２により、プリンタの色材特性を考慮したＣＭＹ色信号に変換される。変換方法としては、色相分割マスキング法や、色変換ルックアップテーブルを用いた線形補間演算による用法等の公知な方法があり、どのような方法であっても良い。
【００２９】
ＵＣＲ／ＵＣＡ処理手段３は、入力されたＣＭＹ信号からｍｉｎ（Ｃ，Ｍ，Ｙ）を算出し、その値に基づいてＫ信号を算出する。また、算出したＫ信号に応じて、ＣＭＹを補正し、ＣＭＹＫ信号を生成する。ここでのＣＭＹＫ信号も、各信号が０〜２５５の値をとる８ｂｉｔ信号である。
【００３０】
中間調処理手段４は、ＣＭＹＫ８ｂｉｔ信号を、小値化するための処理である。インクジェットや電子写真方式の出力装置においては、８ｂｉｔの階調を直接再現する能力がないため、ディザ法や、誤差拡散法等の擬似中間調処理を行うことにより、小値のドットで多値表現を行っている。
【００３１】
中間調処理されたＣＭＹＫ信号は、インクジェットや電子写真装置等の画像出力手段５によって、記録媒体に印刷される。
【００３２】
以上が通常の画像出力時のフローである。次に、ＵＣＲ／ＵＣＡパラメータ調整のフローについて説明する。
【００３３】
パラメータに関しては、装置の出荷時に適切なパラメータ調整がなされており、通常はパラメータ調整の必要はない。ただし、出力装置の想定していない記録媒体に出力する場合、もしくは長期間使用していることで、出力装置の出力特性が変化してしまっている場合等には、パラメータ調整を行うことにより、高画質な出力を行うことができる。
【００３４】
パラメータ調整を行うタイミングの具体的な決定方法としては、ユーザが指定するようにしても良いし、自動でセットされた記録媒体の種類を識別し、想定外の用紙がセットされた場合に開始することも効果的である。また、センサー等で出力特性の変化を検知し、大きく変化した場合にパラメータ調整を行っても良い。また、自動で開始のタイミングを決定する際にも、ユーザに許可を求めるようなメッセージを表示し、許可の指示が入力されると処理を開始する仕組みも考えられる。
【００３５】
パラメータ調整が指示されると、まず、評価画像の出力がなされる。評価画像出力のフローが図１の（ｂ）で示されている。
【００３６】
まず、評価画像記憶手段６によって記憶されている評価画像が読み出される。評価画像としては、例えば、Ｒ＝Ｇ＝Ｂの無彩色のグラデーション画像を用意し、複数のＵＣＲ／ＵＣＡパラメータで処理して出力することで、最も粒状性の良い画像を出力するＵＣＲ／ＵＣＡパラメータがわかる。ＵＣＲ／ＵＣＡパラメータとして式（１）および図７で表されるものを用いるとすると、粒状性に大きく効く墨開始点、すなわち複数のパラメータγで処理した画像を出すことが必要である。他のパラメータαおよびβに関しては、粒状性への影響はあまり大きくないと思われるため、固定しておいても良い。
【００３７】
具体的なフローとしては、読み出された評価画像は（ａ）のフローと同様に処理され、画像出力される。ただし、複数のＵＣＲ／ＵＣＡパラメータで出力する必要があるため、パラメータ調整手段７によってＵＣＲ／ＵＣＡパラメータを振りながら、評価画像の読み出し→処理→出力のフローが複数回繰り返される。
【００３８】
出力された評価画像は、ユーザによって主観的に評価してもらい、評価結果に応じてＵＣＲ／ＵＣＡパラメータを調整する。具体的には、ユーザは最も粒状性の良い画像を選択し、ユーザ評価入力手段８によって入力する。ユーザ評価入力手段８としては、タッチパネル等を用意し、出力された評価画像と対応づけられた番号を表示し、その中から選択してもらうような方法が考えられる。次に、入力された評価結果に応じて、パラメータ調整手段７によってＵＣＲ／ＵＣＡパラメータを調整する。すなわち、最も粒状性の良い画像を出力した際に用いたＵＣＲ／ＵＣＡパラメータに変更する。パラメータ調整のフローは、図１の（ｃ）で示されている。
【００３９】
以上のようなフローにより、適切なＵＣＲ／ＵＣＡパラメータを選択することができる。
【００４０】
次に、本発明の第２実施形態を説明する。図２は、本発明の第２実施形態の画像処理装置の色変換調整方法における構成およびデータフローを示すブロック図である。
【００４１】
第１実施形態では、評価画像をＲＧＢ画像として記憶していたが、必ずしもそうでなくても良い。第２実施形態では、中間調処理後のＣＭＹＫ画像を記憶しておく。すなわち、図２に示すように、評価画像記憶手段６において、中間調処理後のＣＭＹＫ画像を記憶し、直接画像出力手段５に送ればよいため、処理時間が短縮される。画像データの出力処理は、第１実施形態と同様に図２の（ａ）で示すフローに従っておこなわれる。評価画像出力のフローは、図２の（ｂ）で示されている。また、パラメータ調整のフローが図２の（ｃ）で示されている。ただし、少なくとも数種類のＵＣＲ／ＵＣＡパラメータを用いて処理した画像を記憶しておくことが必要である。
【００４２】
次に、本発明の第３実施形態を説明する。図３は、本発明の第３実施形態の画像処理装置の色変換調整方法における構成およびデータフローを示すブロック図である。
【００４３】
第１および第２実施形態では、出力した評価画像をユーザによって評価してもらっているが、第３実施形態では、出力画像から粒状度を測定し、粒状度に基づいてＵＣＲ／ＵＣＡパラメータを変更する。図３において、評価画像記憶手段６は、第２実施形態と同様であるが、評価画像記憶手段６を、第１実施形態と同様にしてもよい。
【００４４】
第３実施形態では、第１および第２実施形態と比較し、画像データの出力フロー（ａ）および評価画像の出力フロー（ｂ）は同じであるが、パラメータ調整のフロー（ｃ）が異なる。従って、評価画像出力後の動作について述べる。
【００４５】
まず、出力された評価画像をスキャナ等の画像読み取り手段９によって読み取る。粒状度算出手段１０が、読み取った画像から粒状度を算出し、粒状度の値が最も良い画像を出力した際のＵＣＲ／ＵＣＡパラメータを設定する。
【００４６】
粒状度を算出する手順の詳細を述べる。図４は、粒状度算出手順の一例を示すフローチャートである。まず、画像読み取り手段９によって読み取られたＲＧＢ画像を、ＣＩＥＬＡＢ表色系であるＬ＊ａ＊ｂ＊信号に変換する。次に、Ｌ＊信号から空間周波数成分、すなわちスペクトルを算出する。得られたスペクトルに対し、人の視覚特性を考慮して補正を行い、最後に周波数全体について積分する。この値を、粒状性を客観的な数値として評価した粒状度として用いる。具体的には、例えば、特開平１０−２３１９１号公報に、粒状性評価値の詳しい算出方法が記載されている。ただし、粒状度の算出方法としては、別の算出方法を用いてもかまわず、粒状性を数値として評価できる値を算出できれば良い。
【００４７】
次に、本発明の第４実施形態を説明する。第１、第２および第３実施形態では、パラメータ調整の際には、ＵＣＲ／ＵＣＡパラメータを調整していたが、他のパラメータ調整を行うことも可能である。第４実施形態では、ＣＭＹＫに加えて、Ｌｃ、Ｌｍを用いた６色インクで画像出力するインクジェット記録装置を出力手段としてもつ場合を想定し、濃淡インク、すなわちＣとＬｃ、ＭとＬｍの混合割合を調整する。
【００４８】
濃淡インクの混合割合の設定方法としては、ＣＭＹＫへの色変換を行った後に、ＣＭ信号に対してγテーブルによる変換を行って濃淡インク量に分解する方法がある。以下、Ｃ信号に対して説明するが、Ｍ信号も同様である。
【００４９】
図５は、分解用のγテーブルを示すグラフである。ここで、Ｌｃは濃Ｃの１／３の濃度を持つものとする。入力される分解前のＣに対して、低濃度領域はＬｃのみによって再現し、ある濃度αから濃Ｃが入り始める。濃Ｃの増加に従ってＬｃは減り始め、ある濃度βでＬｃ＝０となる。βより高濃度部は濃Ｃのみで再現される。このα、βを調整することにより、適切な濃淡インクの混合を行い、高画質な画像出力が可能となる。
【００５０】
図５において、ここでは簡単のため、関数形を折れ線としたが、必ずしもその必要はなく、任意の関数形を使用可能であり、それに応じてパラメータも変わってくる。
【００５１】
実際のパラメータ調整方法については、前述の実施形態と同様に評価画像を出力し、ユーザの評価もしくは粒状度測定によって、パラメータの変更を行えば良い。
【００５２】
図６は、本発明の第４実施形態の画像処理装置の色変換調整方法における構成およびデータフローを示すブロック図である。図６においては、粒状度測定によりパラメータ変更を行う場合を示す。（ａ）は通常の画像データの出力フロー、（ｂ）は評価画像出力フロー、（ｃ）はパラメータ調整フローである。
【００５３】
評価画像については、ＵＣＲ／ＵＣＡパラメータ調整の場合とは異なる画像を用意する必要がある。例えば、ＣおよびＭのグラデーション画像に対して、色分解パラメータα、βを振って作成した画像を用意すればよい。
【００５４】
また。濃淡インクではなく、単色のインクを複数のドットサイズで吐出可能なインクジェット記録装置に対しても、同様の調整を行うことができる。例えば、小ドットと大ドットを打ち分けることが可能であった場合、小ドットをＬｃ、大ドットを濃Ｃと考えれば、全く同様にして大小ドットの打ち分けを適切に調整することができる。この場合は、ＣＭだけでなく、ＣＭＹＫ全てに対して調整可能である。
【００５５】
次に、本発明の第５実施形態を説明する。上記実施形態においては、ＣＭＹＫへの色変換をＣＭＹへの色変換とＵＣＲ／ＵＣＡ処理によって行っていたが、必ずしもそのような構成でなくてもよい。第５実施形態では、例えば、ＲＧＢ信号からＣＭＹＫへの直接変換を行う構成もある。方法としては、３−４の色変換ルックアップテーブルを用意し、補間演算によって色変換を行う方法等がある。この場合には、色変換ルックアップテーブル自体のＫを調整することが考えられる。ただし、この場合は、例えばＵＣＲ／ＵＣＡ方式で用いられる数式に従って、ＣＭＹをＫに同調して調整することが好ましい。また、初期の値から大きく変更することは避けた方がよい。それにより、色再現性が悪化するのを防止できる。また、これ以外の色変換系であっても、Ｋを調整することの可能な色変換系であればどのようなものにも適応できることは明らかである。
【００５６】
次に、本発明の第６実施形態を説明する。上記実施形態においては、粒状度を用いて評価していた。粒状性すなわち画像のざらつきを評価するためには、テクスチャの評価によりパラメータ調整を行うことも効果的である。第６実施形態では、テクスチャの評価によりパラメータ調整を行う。テクスチャとは、画像に含まれる、主に周期的な構造のことであり、これが目立つと、ざらつき等の画質劣化として知覚される。
【００５７】
実際、ユーザによる主観的な評価の場合には、結果的にはテクスチャによる画像の劣化も含めて評価すると思われる。また、スキャナによって取り込んだ画像からテクスチャ評価値を算出することも可能であり、その値に応じてＵＣＲ／ＵＣＡパラメータ等を調整することもできる。例えば、特開２００２−２４５４６５号公報に記載の、テクスチャ特徴量、もしくはテクスチャ特徴量を考慮した粒状度を用いることができる。
【００５８】
次に、本発明の第７実施形態を説明する。第１実施形態では、パラメータ調整、すなわち評価画像出力を行うタイミングとして、想定外の記録媒体がセットされたときを考えた。これは、粒状性評価による色調整にとどまらず、一般的な色調整を行うタイミングとしても効果的である。本発明は、このタイミングの取り方が特徴である。第７実施形態では、このタイミングの取り方は第１実施形態と同様であるが、色調整は一般的な方法を用いる。一般的な色調整方法としては、例えば、特開２００１−４７６５５号公報に記載の濃度補正方法等を用いることができる。
【００５９】
本発明の実施形態について、上記のように詳細に説明したが、上記の実施形態は、本発明の好適な実施の形態の例であり、これに限定されるものではなく、本発明の要旨を逸脱しない範囲において種々変形して実施することが可能である。
【図面の簡単な説明】
【００６０】
【図１】本発明の第１実施形態の画像処理装置の色変換調整方法における構成およびデータフローを示すブロック図である。
【図２】本発明の第２実施形態の画像処理装置の色変換調整方法における構成およびデータフローを示すブロック図である。
【図３】本発明の第３実施形態の画像処理装置の色変換調整方法における構成およびデータフローを示すブロック図である。
【図４】本発明の第３実施形態のおける粒状度算出手順の一例を示すフローチャートである。
【図５】本発明の第４実施形態における分解用のγテーブルを示すグラフである。
【図６】本発明の第４実施形態の画像処理装置の色変換調整方法における構成およびデータフローを示すブロック図である。
【図７】式（１）におけるＫ’とｍｉｎ（Ｃ，Ｍ，Ｙ）との関係を示すグラフである。
【符号の説明】
【００６１】
１    画像入力手段
２    色変換処理手段
３    ＵＣＲ／ＵＣＡ処理手段
４    中間調処理手段
５    画像出力手段
６    評価画像記憶手段
７    パラメータ調整手段
８    ユーザ評価入力手段
９    画像読み取り手段
１０    粒状度算出手段
１１    濃淡インク分解手段
【図１】
2005094085.tif 000003
【図２】
2005094085.tif 000004
【図３】
2005094085.tif 000005
【図４】
2005094085.tif 000006
【図５】
2005094085.tif 000007
【図６】
2005094085.tif 000008
【図７】
2005094085.tif 000009